(57)【特許請求の範囲】
【請求項１】
人体に帯電している静電気の放電を防止する静電靴の帯電防止性能が適正か否かを判定する静電靴判定装置であって、
前記静電靴の爪先側を載置する第１の導電板と、
前記静電靴の踵側を載置するために、前記第１の導電板に隣接して設けられた第２の導電板と、
前記第１の導電板及び前記第２の導電板を載置し、前記第１の導電板と前記第２の導電板とを電気的に絶縁状態にする絶縁板と、
前記第１の導電板及び前記第２の導電板に前記静電靴が載置されたことを感知する圧力センサと、
前記圧力センサが前記静電靴の載置を感知したとき、前記第１の導電板と前記第２の導電板との間に電流を流し、前記静電靴の抵抗値に基づいて測定された電圧値が正常な値であるか否かを判定する抵抗値判定部と、
を備えたことを特徴とする静電靴判定装置。
【請求項２】
前記第１の導電板と前記第２の導電板との間には、隙間が設けられ、
前記静電靴は、前記隙間を跨ぐように前記第１の導電板及び前記第２の導電板に載置される、
ことを特徴とする請求項１に記載の静電靴判定装置。
【請求項３】
前記抵抗値判定部において前記電圧値が正常な値であると判定されたとき、前記静電靴の着用者に帯電している静電気を放電する放電部を備えた、
ことを特徴とする請求項１または２のいずれか１項に記載の静電靴判定装置。
【請求項４】
前記圧力センサが前記静電靴の載置を感知したとき、前記第１の導電板、前記第２の導電板、及び前記静電靴に所定の電流が流れるように切り替わる第１のリレーと、
前記抵抗値判定部において前記電圧値が正常な値であると判定されたとき、前記第１の導電板、前記第２の導電板、及び前記静電靴の導通状態から前記放電部による前記静電気の放電状態に切り替わる第２のリレーと、
を備えたことを特徴とする請求項３に記載の静電靴判定装置。
【請求項５】
前記抵抗値判定部において前記電圧値が正常な値ではないと判定されたとき、アラーム信号を発生させる警告部を備えた、
ことを特徴とする請求項１ないし４のいずれか１項に記載の静電靴判定装置。
【請求項６】
前記抵抗値判定部において前記電圧値が正常な値であると判定されたとき、正常な値であることを表示し、前記抵抗値判定部において前記電圧値が正常な値ではないと判定されたとき、正常な値ではないことを表示する表示部を備えた、
ことを特徴とする請求項１ないし５のいずれか１項に記載の静電靴判定装置。
【請求項７】
請求項１ないし６のいずれか１項に記載の静電靴判定装置と、
前記抵抗値判定部において前記電圧値が正常な値であると判定されたとき、室内への入室を許可し、前記抵抗値判定部において前記電圧値が正常な値ではないと判定されたとき、室内への入室を拒否する入室管理装置と、
を備えたことを特徴とする入室管理システム。
【発明の詳細な説明】
【技術分野】
【０００１】
本発明は、人体からの静電気放電を防止するための静電靴の帯電防止性能が適正か否かを判定する静電靴判定装置及び入室管理システムに関する。
【背景技術】
【０００２】
半導体装置を製造する工場において、静電気を帯電した物体が製造ラインの近傍に存在すると、静電気を帯電した物同士の間に生じる静電気放電（Ｅｌｅｃｔｒｏ−Ｓｔａｔｉｃ  Ｄｉｓｃｈａｒｇｅ：ＥＳＤ）により半導体装置が破壊されることがある。また、各種溶剤を扱う工場では、静電気により爆発や火災が発生することがある。これを防止するために、例えば、このような工場においては、外部環境から壁及び扉等により遮断され、入退室する作業者を厳重に管理しているクリーンルームが設けられ、この中で半導体装置を製造したり各種溶剤を扱うようにしている。このようなクリーンルームに入室する場合、人体に帯電した静電気による静電気放電を防止するため、静電気の帯電を防止するリストストラップの装着や、靴底に特殊な加工が施されている静電靴の着用が義務付けられている。
【０００３】
クリーンルーム内の作業者がリストストラップを正しく装着しているか否かを検査するために、従来、例えば、作業台における作業者を検査する無線検査装置が知られている（例えば、特許文献１等参照。）。この無線検査装置は、生産ライン上の作業者がリストストラップを正しく装着しているか否かを検査するために、リストストラップに漏洩回路を設け、リストストラップの抵抗値を測定して正常値であるか否かを検査し、正常値ではない場合にはアラーム信号を発生させるものである。
【０００４】
また、クリーンルームに入室する作業者の静電靴の電気抵抗値が所定の範囲内にあるか否かを判定するために、例えば、クリーンルーム入室管理装置が知られている（例えば、特許文献２等参照。）。このクリーンルーム入室管理装置は、静電靴の電気抵抗値を評価する静電靴評価装置と、静電靴評価装置において静電靴の電気抵抗値が所定の範囲内にないと評価された場合にはクリーンルーム内の扉をロックするクリーンルーム入室管理機構とを備えている。この静電靴評価装置は、入室者が手で接触する主電極と、静電靴を載せる対向電極とを有し、静電靴を介した人体と床面との間の抵抗値を測定するものである。
【先行技術文献】
【特許文献】
【０００５】
【特許文献１】特開２００９−１６３４９５号公報
【特許文献２】特開２００１−０２９１０５号公報
【発明の概要】
【発明が解決しようとする課題】
【０００６】
ところで、上記特許文献１に記載の無線検査装置では、所定の作業台においてリストストラップを正しく装着しているか否かを検査するものであるため、入室する作業者を検査する装置としては使用できないものである。また、上記特許文献２に記載のクリーンルーム入室管理装置では、荷物等を所持した状態では正しく評価できないものであった。さらに、両方とも人体に微弱電流を流す装置であるため、ペースメーカ等の医療機器を使用している作業者には使用できないものであった。
【０００７】
そこで本発明は、上記特許文献２に記載のクリーンルーム入室管理装置のような手で接触する必要のない静電靴判定装置を提供することを目的とする。
【課題を解決するための手段】
【０００８】
上記課題を解決するために、請求項１に記載の発明は、人体に帯電している静電気の放電を防止する静電靴の帯電防止性能が適正か否かを判定する静電靴判定装置であって、前記静電靴の爪先側を載置する第１の導電板と、前記静電靴の踵側を載置するために、前記第１の導電板に隣接して設けられた第２の導電板と、前記第１の導電板及び前記第２の導電板を載置し、前記第１の導電板と前記第２の導電板とを電気的に絶縁状態にする絶縁板と、前記第１の導電板及び前記第２の導電板に前記静電靴が載置されたことを感知する圧力センサと、前記圧力センサが前記静電靴の載置を感知したとき、前記第１の導電板と前記第２の導電板との間に電流を流し、前記静電靴の抵抗値に基づいて測定された電圧値が正常な値であるか否かを判定する抵抗値判定部と、を備えたことを特徴とする。
【０００９】
この発明では、第１の導電板及び第２の導電板に圧力センサが設けられ、第１の導電板及び第２の導電板に静電靴が載置されたことを感知する。静電靴が載置されたことを感知すると、抵抗値判定部は、第１の導電板と第２の導電板との間に電流を流し、静電靴の抵抗値に基づいて電圧値を測定し、電圧値が正常な値であるか否かを判定する。
【００１０】
請求項２に記載の発明は、請求項１に記載の静電靴判定装置において、前記第１の導電板と前記第２の導電板との間には、隙間が設けられ、前記静電靴は、前記隙間を跨ぐように前記第１の導電板及び前記第２の導電板に載置される、ことを特徴とする。
【００１１】
請求項３に記載の発明は、請求項１または２のいずれか１項に記載の静電靴判定装置において、前記抵抗値判定部において前記電圧値が正常な値であると判定されたとき、前記静電靴の着用者に帯電している静電気を放電する放電部を備えた、ことを特徴とする。
【００１２】
請求項４に記載の発明は、請求項３に記載の静電靴判定装置において、前記圧力センサが前記静電靴の載置を感知したとき、前記第１の導電板、前記第２の導電板、及び前記静電靴に所定の電流が流れるように切り替わる第１のリレーと、前記抵抗値判定部において前記電圧値が正常な値であると判定されたとき、前記第１の導電板、前記第２の導電板、及び前記静電靴の導通状態から前記放電部による前記静電気の放電状態に切り替わる第２のリレーと、を備えたことを特徴とする。
【００１３】
請求項５に記載の発明は、請求項１ないし４のいずれか１項に記載の静電靴判定装置において、前記抵抗値判定部において前記電圧値が正常な値ではないと判定されたとき、アラーム信号を発生させる警告部を備えた、ことを特徴とする。
【００１４】
請求項６に記載の発明は、請求項１ないし５のいずれか１項に記載の静電靴判定装置において、前記抵抗値判定部において前記電圧値が正常な値であると判定されたとき、正常な値であることを表示し、前記抵抗値判定部において前記電圧値が正常な値ではないと判定されたとき、正常な値ではないことを表示する表示部を備えた、ことを特徴とする。
【００１５】
請求項７に記載の発明は、請求項１ないし６のいずれか１項に記載の静電靴判定装置と、前記抵抗値判定部において前記電圧値が正常な値であると判定されたとき、室内への入室を許可し、前記抵抗値判定部において前記電圧値が正常な値ではないと判定されたとき、室内への入室を拒否する入室管理装置と、を備えたことを特徴とする入室管理システムである。
【発明の効果】
【００１６】
請求項１に記載の発明によれば、第１の導電板と第２の導電板に載置された静電靴に電流を流し、静電靴の抵抗値に基づいて電圧値を測定し、電圧値が正常な値であるか否かを判定するので、静電靴の着用者が手を装置に接触させることなく静電靴の判定を行うことが可能となる。また、静電靴のみに電流を流し、着用者の人体に電流は流れないので、ペースメーカ等の医療機器を使用している着用者であっても使用することができる。
【００１７】
請求項２に記載の発明によれば、第１の導電板と第２の導電板との間に設けられた隙間を跨ぐように静電靴が載置されるので、静電靴の抵抗値を電圧値に正確に反映させることができる。
【００１８】
請求項３に記載の発明によれば、電圧値が正常な値であると判定されたとき、静電靴の着用者に帯電している静電気を放電する放電部を備えたことにより、人体に帯電した静電気による静電気放電を防止することが可能となる。
【００１９】
請求項４に記載の発明によれば、圧力センサが静電靴の載置を感知したとき、第１の導電板、第２の導電板、及び静電靴に所定の電流が流れるように切り替わる第１のリレーを備えたことにより、静電靴が載置されていない状態で無駄な電流が流れることを防止し、静電靴が載置されたときに静電靴の抵抗値に基づいて電圧値を容易に測定することができる。また、電圧値が正常な値であると判定されたとき、第１の導電板、第２の導電板、及び静電靴の導通状態から放電部による静電気の放電状態に切り替わる第２のリレーを備えたことにより、静電靴の判定を行った後に容易に放電させることができる。
【００２０】
請求項５に記載の発明によれば、電圧値が正常な値ではないと判定されたとき、アラーム信号を発生させる警告部を備えたことにより、静電靴を正しく着用していない者のクリーンルーム等への入室を防止することが可能となる。
【００２１】
請求項６に記載の発明によれば、電圧値が正常な値であると判定されたとき、正常な値であることを表示し、電圧値が正常な値ではないと判定されたとき、正常な値ではないことを表示する表示部を備えたことにより、静電靴の判定結果を容易に把握することが可能となる。
【００２２】
請求項７に記載の発明によれば、電圧値が正常な値であると判定されたとき、室内への入室を許可し、電圧値が正常な値ではないと判定されたとき、室内への入室を拒否する入室管理装置を備えたことにより、静電靴を正しく着用していない者のクリーンルーム等への入室を確実に防止することができる。
【図面の簡単な説明】
【００２３】
【図１】この発明の実施の形態１に係る静電靴判定装置１を示す図であり、静電靴判定装置１の概略の構成を示す回路図（ａ）、及び導電板２０ａ，２０ｂを示す斜視図（ｂ）である。
【図２】図１の導電板２０ａ，２０ｂにおける電流の流れを示す側面図である。
【図３】図１の制御装置１０における電靴判定装置１の制御を示すフローチャートである。
【図４】この発明の実施の形態２に係る入室管理システム１００の概略の構成を示す斜視図である。
【発明を実施するための形態】
【００２４】
以下、この発明を図示の実施の形態に基づいて説明する。
【００２５】
（実施の形態１）
この発明の実施の形態１に係る静電靴判定装置１は、静電靴の帯電防止性能が適正か否かを判定する装置であり、主として、図１（ａ）の回路図及び図１（ｂ）の斜視図に示すように、制御装置（抵抗値判定部）１０と、導電板（第１の導電板、第２の導電板）２０と、絶縁板２１と、圧力センサ３０と、第１のリレー４０と、第２のリレー５０と、ＬＥＤ（表示部）６１，６２と、ブザー（警報部）６３と、限流抵抗７１と、保護回路７２と、電圧測定用抵抗７３とを備えている。
【００２６】
制御装置１０は、静電靴判定装置１全体をプログラム制御するための装置であり、例えば、ＣＰＵ（Ｃｅｎｔｒａｌ  Ｐｒｏｃｅｓｓｉｎｇ  Ｕｎｉｔ）等により構成されている。
【００２７】
導電板２０は、静電靴Ｓを載置して静電靴Ｓに電流を流すための装置であり、例えば、導電性の金属板により形成されている。この導電板２０は、図１（ｂ）に示すように、静電靴Ｓの爪先側を載置するための導電板（第１の導電板）２０ａと、静電靴Ｓの踵側を載置するための導電板（第２の導電板）２０ｂと、により構成され、それぞれ隣接して設けられている。絶縁板２１は、導電板２０ａと導電板２０ｂとを電気的に絶縁するための板状部材であり、導電板２０ａと導電板２０ｂとの間に隙間が設けられて載置されている。この絶縁板２１は、例えば、非導電性の合成樹脂により形成されている。
【００２８】
導電板２０ａ及び導電板２０ｂには、図１（ａ）に示すように、静電靴Ｓが隙間を跨ぐように載置される。導電板２０ａと導電板２０ｂとの間には、図２に示すように、導電板２０ｂから静電靴Ｓを介して、導電板２０ａへ電流Ｉが流れるように構成されている。この電流Ｉが導通すると、制御装置１０により静電靴Ｓの抵抗値に基づいて後述する電圧測定用抵抗７３に加えられる電圧が測定され、この電圧値が正常な値であるか否か、すなわち導電板２０ａ，２０ｂに載置された静電靴Ｓの帯電防止性能が適正か否かが判定される。
【００２９】
また、導電板２０ａ，２０ｂは、それぞれ静電靴載置部２２ａ，２２ｂを有している。静電靴載置部２２ａ，２２ｂは、静電靴Ｓを載置するための箇所であり、図１（ｂ）に示すように静電靴Ｓの靴底の形状に合わせて平面状に形成されている。静電靴載置部２２ａは、静電靴Ｓの爪先側を載置する箇所であり、静電靴載置部２２ｂは、静電靴Ｓの踵側を載置するための箇所であり、それぞれ導電板２０ａと導電板２０ｂとの間に設けられた隙間を跨ぐようにして形成されている。
【００３０】
圧力センサ３０は、静電靴Ｓが静電靴載置部２２ａ，２２ｂに載置されたとき、静電靴Ｓを着用した着用者の重量を感知するための装置であり、静電靴載置部２２ａ，２２ｂに接続されて設けられている。また、圧力センサ３０は、制御装置１０に接続され、静電靴Ｓの載置を感知したときに感知信号を制御装置１０へ送信するようになっている。
【００３１】
第１のリレー４０は、制御装置１０の制御により電源Ｐからの電流をオン／オフするための装置であり、電流をオン／オフするためのスイッチ４１を有し、制御装置１０及び電源Ｐに接続されている。この第１のリレー４０は、圧力センサ３０が静電靴Ｓの載置を感知して感知信号を制御装置１０へ送信したとき、制御装置１０によってスイッチ４１がオン状態になり、電流が流れるように構成されている。
【００３２】
第２のリレー５０は、制御装置１０の制御により電源Ｐから第１のリレー４０を介した電流をオン／オフし、導電板２０からアース接続するための装置であり、制御装置１０、第１のリレー４０及び導電板２０に接続されている。この第２のリレー５０は、導電板２０ａに接続された第２のリレー５０ａと、導電板２０ｂに接続された第２のリレー５０ｂとから構成され、それぞれスイッチ５１ａ，５１ｂと、アース（放電部）５２ａ，５２ｂとを有している。スイッチ５１ａ，５１ｂは、スイッチ４１がオン状態のときにオン状態になり、制御装置１０による電圧値の判定結果が正常な値であると判定されたとき、オフ状態になってアース５２ａ，５２ｂに接続するものである。アース５２ａ，５２ｂは、導電板２０ａ，２０ｂに載置されている静電靴Ｓを着用している着用者に帯電している静電気を放電するためのアースである。
【００３３】
ＬＥＤ６１は、制御装置１０による電圧値の判定結果が正常な値であると判定されたとき、制御装置１０の制御により、例えば青色に点灯する発光ダイオードであり、制御装置１０に接続されている。ＬＥＤ６２は、制御装置１０による電圧値の判定結果が正常な値ではないと判定されたとき、制御装置１０の制御により、例えば赤色に点灯する発光ダイオードであり、制御装置１０に接続されている。このＬＥＤ６１，６２は、図１（ｂ）に示すように、例えば導電板２０ａの前方端部に設けられている。ブザー６３は、制御装置１０による電圧値の判定結果が正常な値ではないと判定されたとき、制御装置１０の制御によりアラーム信号を発生する装置であり、制御装置１０に接続されている。
【００３４】
限流抵抗７１は、スイッチ４１，５１ａ，５１ｂがオン状態のとき、電源Ｐからの出力電圧を所定の値にするための抵抗である。保護回路７２は、過電流及び過電圧を防止するための回路である。電圧測定用抵抗７３は、制御装置１０が静電靴Ｓの抵抗値に基づいて電圧値を測定するための回路である。
【００３５】
制御装置１０による静電靴Ｓの抵抗値に基づく電圧測定用抵抗７３の電圧値は、例えば、以下のように判定される。例えば、電源Ｐの出力電圧は５Ｖ、限流抵抗７１の抵抗値は１ｋΩ、電圧測定用抵抗７３の抵抗値は５ＭΩに設定されている。静電靴Ｓの抵抗値は、例えば、１００ｋΩ〜１００ＭΩの範囲内であれば正常な値であると判定される。静電靴Ｓの抵抗値が最小値である１００ｋΩのとき、電圧測定用抵抗７３には、
５０００÷（１＋５０００＋１００）×５≒４．９０１Ｖ
の電圧が加えられ、最大値である１００ＭΩのとき、電圧測定用抵抗７３には、
５０００÷（１＋５０００＋１０００００）×５≒０．２３８Ｖ
の電圧が加えられる。そのため、制御装置１０では、電圧測定用抵抗７３の電圧が０．２３８Ｖ〜４．９０１Ｖの範囲内であれば正常な値であると判定し、この範囲外であれば正常な値ではないと判定する。
【００３６】
また、制御装置１０による電圧値の判定は、以下のように電圧値をＡ／Ｄ変換して行われる。電圧測定用抵抗７３に加えられる電圧値は、電源Ｐの出力電圧である最大５Ｖであるため、この電圧値は、例えば、制御装置１０において０〜５Ｖの範囲内において分解能１０ｂｉｔでＡ／Ｄ変換される。電圧値の正常範囲が０．２３８Ｖ〜４．９０１Ｖであるため、最小値の０．２３８Ｖは、
（１０２３×０．２３８）÷５≒４９
と変換され、最大値の４．９０１Ｖは、
（１０２３×４．９０１）÷５≒１００２
と変換される。そのため、Ａ／Ｄ変換された値が４９〜１００２の範囲内であれば正常な値であると判定され、この範囲外であれば正常な値ではないと判定される。
【００３７】
次に、このような制御装置１０における静電靴判定装置１の制御等について説明する。
【００３８】
まず、制御装置１０は、圧力センサ３０から送信される、静電靴Ｓの載置を感知した感知信号を受信したか否かを監視する（ステップＳ１）。感知信号を受信していない場合（ステップＳ１において「Ｎ」の場合）は、制御装置１０による監視が継続される。
【００３９】
圧力センサ３０が静電靴Ｓの載置を感知して感知信号を送信し、制御装置１０が受信すると（ステップＳ１において「Ｙ」の場合）、制御装置１０の制御により、第１のリレー４０のスイッチ４１がオン状態になる（ステップＳ２）。制御装置１０により、電圧測定用抵抗７３の電圧値が測定される（ステップＳ３）。制御装置１０により、測定された電圧測定用抵抗７３の電圧値がＡ／Ｄ変換される（ステップＳ４）。その後、制御装置１０により、Ａ／Ｄ変換された値が正常な範囲内であるか否かが判定される（ステップＳ５）。
【００４０】
Ａ／Ｄ変換された値が正常な値であると判定された場合（ステップＳ５において「Ｙ」の場合）、制御装置１０の制御により、ＬＥＤ６１が点灯される（ステップＳ６）。制御装置１０の制御により、第２のリレー５０ａ，５０ｂのスイッチ５１ａ，５１ｂがオン状態になる（ステップＳ７）。その後、導電板２０ａ，２０ｂに載置されている静電靴Ｓを着用している着用者に帯電している静電気がアース５２ａ，５２ｂへ放電され（ステップＳ８）、処理が終了される。
【００４１】
Ａ／Ｄ変換された値が正常な値ではないと判定された場合（ステップＳ５において「Ｎ」の場合）、制御装置１０の制御により、ＬＥＤ６２が点灯される（ステップＳ９）。その後、制御装置１０の制御により、ブザー６３からアラーム信号が発生され（ステップＳ１０）、処理が終了される。
【００４２】
以上のように、この静電靴判定装置１によれば、導電板２０ａ，２０ｂに静電靴Ｓが載置されて圧力センサ３０が静電靴Ｓの載置を感知すると、第１のリレー４０のスイッチ４１がオン状態になることにより、静電靴Ｓに電流Ｉが流され、静電靴Ｓの抵抗値に基づいて電圧測定用抵抗７３の電圧値が測定される。この電圧値が正常な値であるか否かが判定されるので、静電靴Ｓの着用者が手を接触させることなく静電靴の判定を行うことが可能となる。また、静電靴Ｓのみに電流を流し、着用者の人体に電流は流れないので、ペースメーカ等の医療機器を使用している着用者であっても使用することができる。さらに、第１のリレー４０を設けたことにより、静電靴Ｓが載置されていない状態で無駄な電流が流れることを防止できる。
【００４３】
導電板２０ａと導電板２０ｂとの間に隙間を設け、その隙間を跨ぐように静電靴Ｓが載置されるので、静電靴Ｓの抵抗値を測定された電圧値に正確に反映させることができる。
【００４４】
電圧値が正常な値であると判定されたとき、第２のリレー５０ａ，５０ｂのスイッチ５１ａ，５１ｂがオン状態になり、静電靴Ｓの着用者に帯電している静電気を放電するアース５２ａ，５２ｂを備えたことにより、人体に帯電した静電気による静電気放電を防止することが可能となる。また、第２のリレー５０ａ，５０ｂを設けたことにより、静電靴Ｓの判定後に容易に放電することができる。
【００４５】
さらに、ＬＥＤ６１，６２と、ブザー６３とを設けたことにより、静電靴Ｓの判定結果を容易に把握することが可能となる。
【００４６】
（実施の形態２）
この発明の実施の形態２に係る入室管理システム１００は、静電靴の帯電防止性能が適正か否かを判定し、正しく着用している場合には入室を許可し、正しく着用していない場合には入室を拒否するシステムであり、主として、図４の斜視図に示すように、静電靴判定装置１Ａと、ゲート装置（入室管理装置）１０１と、進入防止板１０２と、監視カメラ１０３とを備えている。
【００４７】
静電靴判定装置１Ａは、実施の形態１に係る静電靴判定装置１と同様の構成であるが、両足に着用された静電靴Ｓを判定するための２つの導電板２０を有し、ＬＥＤ６１，６２を有していない点で、実施の形態１と異なる。なお、図４には、床面に埋設されている２つの導電板２０のみが図示されている。
【００４８】
ゲート装置１０１は、静電靴Ｓの着用者を１人ずつ誘導するために仕切られた装置であり、２つのゲート装置１０１の間を着用者が通るように設けられ、着用者が通るときに２つの導電板２０の上に両足を載せて静電靴Ｓの帯電防止性能が適正か否か判定できるように設置されている。
【００４９】
進入防止板１０２は、実施の形態１に係る静電靴判定装置１のＬＥＤ６１，６２に替えて設けられ、静電靴判定装置１Ａによる静電靴Ｓの判定結果により開閉する板状部材であり、ゲート装置１０１に取り付けられ、静電靴Ｓの判定結果が正常である場合にはゲート装置１０１に平行に閉じた状態で着用者の進入を許可し、静電靴Ｓの判定結果が正常ではない場合にはゲート装置１０１に垂直に開いた状態で着用者の進入を拒否するように取り付けられている。
【００５０】
監視カメラ１０３は、例えば、着用者の帽子や作業服に取り付けられた識別用のタグを読み取り、ゲート装置１０１の先に進入することを許可された者か否かを判定するため、着用者がゲート装置１０１の間を通過する様子を撮影する装置である。この監視カメラ１０３による着用者の入室管理は、静電靴判定装置１Ａによる静電靴Ｓの判定と並行して行われる。
【００５１】
この入室管理システム１００によれば、ゲート装置１０１及び進入防止板１０２を設け、静電靴判定装置１Ａによる静電靴Ｓの判定結果が正常である場合、着用者の進入を許可し、静電靴Ｓの判定結果が正常ではない場合、着用者の進入を拒否するので、静電靴Ｓの帯電防止性能が適正でない者の進入を確実に防止することができる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、静電靴Ｓの抵抗値を一律１００ｋΩ〜１００ＭΩとして電圧値を測定して判定したが、静電靴Ｓの種類に対応した抵抗値を入力する入力部を設け、入力された抵抗値に基づいて電圧値を測定して判定しても良い。また、静電靴Ｓの種類を入力するようにし、入力された静電靴Ｓの種類に対応した抵抗値を予め記憶し、その抵抗値に基づいて電圧値を測定して判定しても良い。また、静電靴Ｓに静電靴Ｓの種類を記憶させたＩＣタグ等を内蔵させ、そのＩＣタグを読み取ることで静電靴Ｓの種類を把握して予め記憶されている抵抗値を読み出し、その抵抗値に基づいて電圧値を測定して判定しても良い。さらに、実施の形態２に係る入室管理システム１００の監視カメラ１０３等により静電靴Ｓを撮影し、その画像により静電靴Ｓの種類を把握して予め記憶されている抵抗値を読み出し、その抵抗値に基づいて電圧値を測定して判定しても良い。これにより、より正確に静電靴Ｓの判定をすることが可能となる。
【００５３】
また、上記の実施の形態２では、実施の形態１のＬＥＤ６１，６２に替えて進入防止板１０２のみを設けたが、ブザー６３を設けてもよく、また、ゲート装置１０１の上方に警報ランプ等を設けても良い。
【符号の説明】
【００５４】
１，１Ａ                静電靴判定装置
１０                    制御装置（抵抗値判定部）
２０                    導電板（第１の導電板、第２の導電板）
２０ａ                  導電板（第１の導電板）
２０ｂ                  導電板（第２の導電板）
２１                    絶縁板
３０                    圧力センサ
４０                    第１のリレー
５０，５０ａ，５０ｂ    第２のリレー
５２ａ，５２ｂ          アース（放電部）
６１，６２              ＬＥＤ（表示部）
６３                    ブザー（警報部）
１００                  入室管理システム
１０１                  ゲート装置（入室管理装置）
【図１】
0006529390.tif 000002
【図２】
0006529390.tif 000003
【図３】
0006529390.tif 000004
【図４】
0006529390.tif 000005